【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
2つ以上のユーザデバイスの間で増分的により多くの量の情報を共有する方法であって、
第1のユーザデバイスに近接する第2のユーザデバイスを検出するステップと、
第1のプライバシーレベルを有する第1のログデータを前記第2のユーザデバイスから受信するステップであって、前記第1のログデータは、第1の期間にわたる前記第2のユーザデバイスのログデータを含む、ステップと、
前記第1のユーザデバイスと前記第2のユーザデバイスが前記第1の期間の間に対話したかどうかを前記第1のログデータに基づいて判定するステップと、
前記第1のユーザデバイスと前記第2のユーザデバイスが前記第1の期間の間に対話したことに基づいて前記第2のユーザデバイスに第1の信頼レベルを割り当てるステップと、
第2のプライバシーレベルを有する第2のログデータを前記第2のユーザデバイスから受信するステップであって、前記第2のログデータは、第2の期間にわたる前記第2のユーザデバイスのログデータを含み、前記第2のプライバシーレベルは前記第1のプライバシーレベルよりも高い、ステップと、
前記第1のユーザデバイスと前記第2のユーザデバイスが前記第2の期間の間に対話したかどうかを前記第2のログデータに基づいて判定するステップと、
前記第1のユーザデバイスと前記第2のユーザデバイスが前記第2の期間の間に対話したことに基づいて前記第2のユーザデバイスに第2の信頼レベルを割り当てるステップとを含む方法。
【請求項２】
前記第1のログデータは、前記第1の期間にわたる前記第2のユーザデバイスの第1のロケーションデータを含み、
前記第1のロケーションデータは、前記第2のユーザデバイスが前記第1の期間の間に接続されたアクセスポイントのリストを含む、請求項1に記載の方法。
【請求項３】
前記第1のユーザデバイスと前記第2のユーザデバイスが前記第1の期間の間に対話したかどうかを判定するステップは、前記第1のユーザデバイスと前記第2のユーザデバイスが前記第1の期間の間互いに近接していたかどうかを前記第1のロケーションデータに基づいて判定するステップを含む、請求項2に記載の方法。
【請求項４】
前記第1のユーザデバイスと前記第2のユーザデバイスが前記第1の期間の間互いに近接していたかどうかを判定するステップは、前記第1のユーザデバイスと前記第2のユーザデバイスが前記第1の期間の間近接していた回数を判定するステップを含む、請求項2に記載の方法。
【請求項５】
前記第2のログデータは、前記第2の期間にわたる前記第2のユーザデバイスの第2のロケーションデータを含み、
前記第2のロケーションデータは、前記第2の期間にわたる前記第2のユーザデバイスの地理的座標を含む、請求項1に記載の方法。
【請求項６】
前記第2のユーザデバイスに前記第1の信頼レベルを割り当てるステップは、前記第1のユーザデバイスと前記第2のユーザデバイスが前記第1の期間の間に第1のしきい値回数だけ対話したと判定するステップに基づき、
前記第2のユーザデバイスに前記第2の信頼レベルを割り当てるステップは、前記第1のユーザデバイスと前記第2のユーザデバイスが前記第2の期間の間に第2のしきい値回数だけ対話したと判定することに基づく、請求項1に記載の方法。
【請求項７】
前記第2のしきい値は前記第1のしきい値よりも大きい、請求項6に記載の方法。
【請求項８】
前記第2のユーザデバイスの判定可能な特性に基づいて前記第2のユーザデバイスに初期信頼レベルを割り当てるステップであって、前記第1のユーザデバイスが、ピアツーピアネットワークを介して前記第2のユーザデバイスと通信することによって前記判定可能な特性を判定する、ステップをさらに含む、請求項1に記載の方法。
【請求項９】
前記初期信頼レベルにおいて前記第2のユーザデバイスとのログ共有が許可されるか否かを判定するステップと、
前記初期信頼レベルにおいて前記第2のユーザデバイスとのログ共有が許可されることに基づいて前記第1のユーザデバイスの初期ログデータを前記第2のユーザデバイスに送信するステップとをさらに含む、請求項8に記載の方法。
【請求項１０】
前記第1の信頼レベルにおいて前記第2のユーザデバイスとのさらなるログ共有が許可されるか否かを判定するステップと、
前記第1の信頼レベルにおいて前記第2のユーザデバイスとのさらなるログ共有が許可されることに基づいて前記第2のユーザデバイスにさらなるログデータを送信するステップであって、前記さらなるログデータは、前記初期ログデータよりも高いプライバシーレベルを有する、ステップとをさらに含み、
前記第1のユーザデバイスと前記第2のユーザデバイスが前記第1の期間の間に対話したかどうかを判定するステップは、前記第1のユーザデバイスと前記第2のユーザデバイスが前記第1の期間の間に対話したかどうかを、前記初期ログデータと前記第1のログデータとを比較することによって判定するステップを含む、請求項9に記載の方法。
【請求項１１】
前記第1の期間と前記第2の期間は同じ期間を含む、請求項1に記載の方法。
【請求項１２】
前記第1のユーザデバイスに近接する第3のユーザデバイスを検出するステップと、
前記第3のユーザデバイスから第3のログデータを受信するステップであって、前記第3のログデータは、第3の期間にわたる前記第3のユーザデバイスのログデータを含む、ステップと、
前記第1のユーザデバイスと前記第3のユーザデバイスが前記第3の期間の間に対話したかどうかを前記第3のログデータに基づいて判定するステップと、
前記第1のユーザデバイスと前記第3のユーザデバイスが前記第3の期間の間に対話したことに基づいて前記第3のユーザデバイスに前記第1の信頼レベルを割り当てるステップとをさらに含む、請求項1に記載の方法。
【請求項１３】
前記第3のユーザデバイスから第4のログデータを受信するステップであって、前記第4のログデータは、第4の期間にわたる前記第3のユーザデバイスのログデータを含み、前記第4のログデータは、前記第3のログデータよりも高いプライバシーレベルを有する、ステップと、
前記第1のユーザデバイスと前記第3のユーザデバイスが前記第2の期間の間に対話したかどうかを前記第4のログデータに基づいて判定するステップと、
前記第1のユーザデバイスと前記第3のユーザデバイスが前記第4の期間の間に対話したことに基づいて前記第3のユーザデバイスに前記第2の信頼レベルを割り当てるステップとをさらに含む、請求項12に記載の方法。
【請求項１４】
2つ以上のユーザデバイスの間で増分的により多くの量の情報を共有するための装置であって、
第1のユーザデバイスに近接する第2のユーザデバイスを検出するための手段と、
第1のプライバシーレベルを有する第1のログデータを前記第2のユーザデバイスから受信するための手段であって、前記第1のログデータは、第1の期間にわたる前記第2のユーザデバイスのログデータを含む、手段と、
前記第1のユーザデバイスと前記第2のユーザデバイスが前記第1の期間の間に対話したかどうかを前記第1のログデータに基づいて判定するための手段と、
前記第1のユーザデバイスと前記第2のユーザデバイスが前記第1の期間の間に対話したことに基づいて前記第2のユーザデバイスに第1の信頼レベルを割り当てるための手段と、
第2のプライバシーレベルを有する第2のログデータを前記第2のユーザデバイスから受信するための手段であって、前記第2のログデータは、第2の期間にわたる前記第2のユーザデバイスのログデータを含み、前記第2のプライバシーレベルは前記第1のプライバシーレベルよりも高い、手段と、
前記第1のユーザデバイスと前記第2のユーザデバイスが前記第2の期間の間に対話したかどうかを前記第2のログデータに基づいて判定するための手段と、
前記第1のユーザデバイスと前記第2のユーザデバイスが前記第2の期間の間に対話したことに基づいて前記第2のユーザデバイスに第2の信頼レベルを割り当てるための手段とを備える装置。
【請求項１５】
2つ以上のユーザデバイスの間で増分的により多くの量の情報を共有するためのコンピュータ可読記憶媒体であって、
第1のユーザデバイスに近接する第2のユーザデバイスを検出するための少なくとも1つの命令と、
第1のプライバシーレベルを有する第1のログデータを前記第2のユーザデバイスから受信するための少なくとも1つの命令であって、前記第1のログデータは、第1の期間にわたる前記第2のユーザデバイスのログデータを含む、少なくとも1つの命令と、
前記第1のユーザデバイスと前記第2のユーザデバイスが前記第1の期間の間に対話したかどうかを前記第1のログデータに基づいて判定するための少なくとも1つの命令と、
前記第1のユーザデバイスと前記第2のユーザデバイスが前記第1の期間の間に対話したことに基づいて前記第2のユーザデバイスに第1の信頼レベルを割り当てるための少なくとも1つの命令と、
第2のプライバシーレベルを有する第2のログデータを前記第2のユーザデバイスから受信するための少なくとも1つの命令であって、前記第2のログデータは、第2の期間にわたる前記第2のユーザデバイスのログデータを含み、前記第2のプライバシーレベルは前記第1のプライバシーレベルよりも高い、少なくとも1つの命令と、
前記第1のユーザデバイスと前記第2のユーザデバイスが前記第2の期間の間に対話したかどうかを前記第2のログデータに基づいて判定するための少なくとも1つの命令と、
前記第1のユーザデバイスと前記第2のユーザデバイスが前記第2の期間の間に対話したことに基づいて前記第2のユーザデバイスに第2の信頼レベルを割り当てるための少なくとも1つの命令とを含む非一時的コンピュータ可読記憶媒体。